(57)【要約】【課題】本考案は、成形ポテトチップ、成形コーンチップ等の容器の外形を変えることなしにソース収納容器を収容し、開封後でもソース収納容器からソースが漏れでないようにする。【解決手段】  従来のキャップ付きの成形ポテトチップ、成形コーンチップの容器に、上端円周にフランジを設けてたソース収納容器を本体容器の収納口にフランジ部を係止して、ソース収納容器を本体容器内側上部で安定的に収容ををする。【選択図】図１
0003126635.tif 000002
【実用新案登録請求の範囲】
【請求項１】
筒状本体容器と、着脱自在のキャップと、筒状本体容器の収納口に係止するフランジ部があり、該フランジ部に蓋がシールされているソース収納用容器とから構成されているスナック菓子用容器。
【考案の詳細な説明】
【技術分野】
【０００１】
本考案は、スナック菓子、特に成形ポテトチップ、成形コーンチップのための容器であって、ポテトチップ、コーンチップをソースを浸して食することができるソース収納用容器を備えた容器に関する。
【背景技術】
【０００２】
スナック菓子は、一般に油で揚げるものであるために、重量の割に膨れて容量が大きかったり、かたちが不揃いのものが多いために、整列して包装ができるものではない。そのため、中身の割に容積が大きくなるポリエチレン製の袋や大きめの紙製の箱に収納されるなど、スナック菓子の量の割に包装の容積が大きくなってしまうものが見かけられる。
【０００３】
ところが、スナック菓子のなかでも成形ポテトチップ、成形コーンチップのように薄くて形状が一定をしているものは、隙間なく重ねることができるために、これを隙間なく重ね合わせて整列して薄いアルミ箔の中袋に収容してから、型くずれのしないしっかりとした円筒状の紙製容器に収納をし、これにキャップをすることがおこなわれている。
【０００４】
このような包装形態にすることによって、ポテトチップが割れることを防ぐことができ、また他のスナック菓子のように中身のわりに容積を占めることもなく、一定のサイズである円筒状の容器によって決まったスペースに決まった数量のものを箱詰め、陳列することが可能である。
【０００５】
ところで、スナック菓子には、ソースを添えて、ソースに浸しながら食べることのできるものが従来から広く製造販売されているが、袋詰めされたスナック菓子では、袋の中に空間的に余裕があるので、ソースが収容された容器を袋の中にスナック菓子と共に詰め込むことが行われていたが、成形ポテトチップタイプのスナック菓子については、袋詰めの場合とは異なって、ソース収納用容器をそのまま収納するスペースがなく、またソース収納用容器をポテトチップ等と共に収容をしてしまうとソース収納用容器によってポテトチップを割ったり壊してしまうおそれがあるので、袋詰めのものとは異なった工夫と発想が必要となる。
【０００６】
そこで、これまでには、カップ状の容器の上面を薄い蓋材でシールするタイプのスナック菓子用の容器では、胴体部分に円周状に溝を設けてソース容器のフランジ部をこの溝に係止する簡易容器が特開２００１−１５８４３５号として開示され、またポテトチップを収納する円筒状の容器については、容器本体の上部に容器本体と連接してソース収納用容器を備えたものが特表２００４−５１９２１０号において開示されている。
【特許文献１】特開２００１−１５８４３５号公報
【特許文献２】特表２００４−５１９２１０号公報
【考案の開示】
【考案が解決しようとする課題】
【０００７】
しかしながら、以上の容器では、従来の容器をそのまま利用できるものではなく、また後者（特許文献２）の容器では、ソース収納用容器を容器本体の外側に連接することとなるので、従来の容器よりもソース収納用容器の部分だけ外側に突出することとなり、それだけサイズが大きくなると共に、従来の円筒状の容器であれば少なくとも上下には隙間なく収納陳列できたものが、ソース収納用容器が加わったことによってこのようなことができなくなるという収納、陳列上での空間利用に不利な点が生じるという欠点がある。
【０００８】
また、ポテトチップを何度かに分けて食する場合には、その都度複数回にわたってソースを用いることになるので、その間にゲル状であるソースが容器外にあふれ出ることもないようにしなければならいが、特許文献１の容器では、本体容器を横倒しにしたり逆さまにするとソースがこぼれ出るおそれがあり、特許文献２の容器では、原則としてソース収納用容器は下向きに置かれるのであるから、常に同様のおそれがある。
【課題を解決するための手段】
【０００９】
本考案者は、係る課題を解決するために鋭意研究したところ、本体容器の上部のキャップとポテトチップを収容したアルミ泊の中袋との間のいわば余分な空間を利用することに着目し、ソース収納用容器の上端周縁のフランジ部で本体容器の収納口の上端にソース収納用容器を係止して、ソース収納用容器を本体容器の上部空間部分に安定的に収容し、同時にキャップをすることによってキャップの上板内側面とソース収納用容器の蓋シールとが常に密接することによって、以上の欠点を解決した。
【００１０】
すなわち、本考案は、筒状容器本体と着脱自在のキャップと筒状容器本体の収納口に係止するフランジ部があり、該フランジ部に蓋がシールされているソース収納用容器とから構成されているスナック菓子用容器に関するものである。
【考案の効果】
【００１１】
本考案の効果は、ソース収納用容器を備えても、従来用いられている成形ポテトチップ等の容器の形態を変更することはなくそのまま用いることができること、それによって、箱詰め、陳列における空間利用の効率が変わらないこと、開封後でもソースがソース収納用容器から漏れることがほとんどないことである。
【考案を実施するための最良の形態】
【００１２】
成形ポテトチップ、成形コーンチップからなるチップスを収容する円筒形本体容器と、その上端収納口に係止するフランジ部を上端周縁に設けられており、該フランジ部に蓋材がシールされている扁平なソース収納用容器と、キャップとから構成されているスナック菓子用の容器である。
【００１３】
以下、図面を参照して本考案のソース収納用容器付きスナック菓子用の容器の詳細を説明するが、本考案の範囲は、これらに限定されるものではない。
【実施例１】
【００１４】
図１の本体容器１は、有底の円筒形であり、上端の収納口１ａの周縁には、カール部１ｂがある。本体容器１は、外部からの衝撃でも容易に変形しない紙製である。軽量であること、使用後に処理がしやすいという点から紙製であることが最適であるが、プラスチック製であってもよい。
【００１５】
本体容器１は、ポテトチップ、コーンチップからなるチップス５が鞍状に中央部が凸状のほぼ円形状であること及び強度の点から円筒形とすることが最適であるが、三角柱、四角柱、六角柱その他多角形の筒とすることは可能である。収納するポテトチップ、コーンチップの形状と大きさ及び量（枚数）によって任意の大きさとすることができる。
【００１６】
キャップ２は、本体容器１の上端部において着脱自在である。キャップ２は上板２ａと輪型の側縁部２ｂとからなり、上板２ａと側縁部２ｂは外れることのないように一体的に構成されている。
【００１７】
キャップ２全体は、本体容器１と同様に紙製であるが、プラスチック製でもよい。側縁部２ｂには、溝２ｃが設けられている。キャップ２が容器本体１に装着されると本体容器１の上端部のカール部１ａがこの溝２ｃのストッパーとなってキャップ２が抜けにくくなる。
【００１８】
ソース収納用容器３は、上端の開口部よりも底部の直径が小さい、円盤状の扁平な半透明のプラスチック製の容器であり、ソース収納用容器３が本体容器１の開口部１ａに収納しやすい形状となっている。この側面からはソース３ｃが透けて見え、ソースの残量を眼で把握できるようになっている。
【００１９】
ソース収納用容器３の上端の周縁にはフランジ部３ａがあり、その周縁はキャップ２の周縁部２ｂの内側に接し、本体容器１のカール部１ｂに係止できる幅が形成されている。ソース収納用容器３を本体容器１に収容する場合には、フランジ部３ａで容器本体１のカール部１ｂに係止をして本体容器１の上部に収納をし、上からキャップ２を被せて図３のように本体容器１の収納口１ａでしっかりと固定できる。
【００２０】
ソース収納用容器３はアルミ製の蓋シール３ｂで覆われ、アルミ製の蓋シール３ｂはフランジ部３ａに接着されている。
【００２１】
ポテトチップ、コーンチップ５は、アルミ製の中袋４の中に１列に揃えられて重ねて詰められ、アルミ製の中袋４はソース収納用容器３の下で本体容器１に収容されている。
【００２２】
ポテトチップ、コーンチップ５をいただく場合は、キャップ２とソース収納用容器３とを外してアルミ製の中袋４から取り出し、ソース３ｃにディップしたい場合は、ソース収納用容器３の蓋シール３ｂを一部はがしてポテトチップ、コーンチップからなるチップス５をソース３ｃにディップする。
【００２３】
複数回に分けてポテトチップ、コーンチップからなるチップス５をいただく場合には、ソース収納用容器３の蓋シール３ｂのはがした部分をフランジ部３ａに接着しなおしてから、本体容器１に収納しキャップ２をする。
【００２４】
容器全体はキャップ３を上にして置くことが通常であろうから、ソース収納用容器３は上向きの状態であり、また容器全体を横倒しにしても、キャップ２の上板２ａとソース収納用容器３の蓋シール３ｂが密接しているので、ソース収納用容器３内のソース３ｃ外に漏れ出す可能性が少ない。以上の作業を繰り返すことによって、何度でもポテトチップ、コーンチップ５をソース３ｃにディップしていただくことができる。
【図面の簡単な説明】
【００２５】
【図１】本考案に係るソース収納用容器を備えたスナック菓子用容器のキャップ、ソース収納用容器及び本体容器をそれぞれにわけて表した斜視図である。
【図２】コーンチップのスナック菓子の完成商品を第１図Ａ−Ａ縦方向の断面図である。
【図３】蓋シールを一部剥がした状態のソース収納容器の斜視図である。
【符号の説明】
【００２６】
１・・・本体容器
１ａ・・収納口
１ｂ・・カール部
２・・・キャップ
２ａ・・上板
２ｂ・・側縁部
３・・・ソース収納容器
３ａ・・フランジ部
３ｂ・・蓋シール
３ｃ・・ソース
４・・・中袋
５・・・チップス
【図１】
0003126635.tif 000003
【図２】
0003126635.tif 000004
【図３】
0003126635.tif 000005